(57)【特許請求の範囲】
【請求項１】
貯湯タンクと、
前記貯湯タンクの上部に接続された高温配管と、
前記高温配管の接続位置より低い位置で前記貯湯タンクに接続された中温配管と、
前記高温配管から供給される高温水と、水源から供給される低温水または前記中温配管から供給される中温水とを混合することで、給湯先へ供給される湯を温度調節する少なくとも一つの混合手段と、
前記中温水が前記少なくとも一つの混合手段へ供給される流路状態である中温水利用状態と、前記低温水が前記少なくとも一つの混合手段へ供給される流路状態である中温水非利用状態とを切り替える流路切替手段と、
前記中温水の温度を検出する手段と、
前記少なくとも一つの混合手段及び前記流路切替手段を制御する手段と、
を備え、
給湯設定温度より低い温度である第一基準温度に比べて前記中温水の温度が低い場合には、前記流路切替手段を前記中温水利用状態へ切り替え、前記給湯設定温度より低く前記第一基準温度より高い温度である第二基準温度に比べて前記中温水の温度が高い場合には、前記流路切替手段を前記中温水非利用状態へ切り替え、
前記給湯先への給湯が停止中のときに前記流路切替手段の切り替えを許容し、前記給湯先への給湯が実行中のときには前記流路切替手段の切り替えを実施しない貯湯式給湯システム。
【請求項２】
貯湯タンクと、
前記貯湯タンクの上部に接続された高温配管と、
前記高温配管の接続位置より低い位置で前記貯湯タンクに接続された中温配管と、
前記高温配管から供給される高温水と、水源から供給される低温水または前記中温配管から供給される中温水とを混合することで、給湯先へ供給される湯を温度調節する少なくとも一つの混合手段と、
前記中温水が前記少なくとも一つの混合手段へ供給される流路状態である中温水利用状態と、前記低温水が前記少なくとも一つの混合手段へ供給される流路状態である中温水非利用状態とを切り替える流路切替手段と、
前記中温水の温度を検出する手段と、
前記少なくとも一つの混合手段及び前記流路切替手段を制御する手段と、
を備え、
給湯設定温度より低い温度である第一基準温度に比べて前記中温水の温度が低い場合には、前記流路切替手段を前記中温水利用状態へ切り替え、前記給湯設定温度より低く前記第一基準温度より高い温度である第二基準温度に比べて前記中温水の温度が高い場合には、前記流路切替手段を前記中温水非利用状態へ切り替え、
前記流路切替手段が前記中温水利用状態で前記給湯先への給湯が停止中のときの前記少なくとも一つの混合手段は、第一待機位置にあり、
前記流路切替手段が前記中温水非利用状態で前記給湯先への給湯が停止中のときの前記少なくとも一つの混合手段は、第二待機位置にあり、
前記第二待機位置は、前記第一待機位置に比べて、前記高温水の混合割合が高くなる位置であり、
前記流路切替手段を前記中温水利用状態から前記中温水非利用状態へ切り替えた後に前記少なくとも一つの混合手段を前記第一待機位置から前記第二待機位置へ作動させる貯湯式給湯システム。
【請求項３】
前記流路切替手段を前記中温水非利用状態から前記中温水利用状態へ切り替える前に前記少なくとも一つの混合手段を前記第二待機位置から前記第一待機位置へ作動させる請求項２に記載の貯湯式給湯システム。
【請求項４】
貯湯タンクと、
前記貯湯タンクの上部に接続された高温配管と、
前記高温配管の接続位置より低い位置で前記貯湯タンクに接続された中温配管と、
前記高温配管から供給される高温水と、水源から供給される低温水または前記中温配管から供給される中温水とを混合することで、給湯先へ供給される湯を温度調節する少なくとも一つの混合手段と、
前記中温水が前記少なくとも一つの混合手段へ供給される流路状態である中温水利用状態と、前記低温水が前記少なくとも一つの混合手段へ供給される流路状態である中温水非利用状態とを切り替える流路切替手段と、
前記中温水の温度を検出する手段と、
前記少なくとも一つの混合手段及び前記流路切替手段を制御する手段と、
第一運転モードに比べてエネルギー効率の向上を優先する運転モードである第二運転モードをユーザーが設定可能にする手段と、
を備え、
給湯設定温度より低い温度である第一基準温度に比べて前記中温水の温度が低い場合には、前記流路切替手段を前記中温水利用状態へ切り替え、前記給湯設定温度より低く前記第一基準温度より高い温度である第二基準温度に比べて前記中温水の温度が高い場合には、前記流路切替手段を前記中温水非利用状態へ切り替え、
前記第二運転モードが設定されている場合にはそうでない場合に比べて、前記第一基準温度及び前記第二基準温度の値を高くする貯湯式給湯システム。
【請求項５】
貯湯タンクと、
前記貯湯タンクの上部に接続された高温配管と、
前記高温配管の接続位置より低い位置で前記貯湯タンクに接続された中温配管と、
前記高温配管から供給される高温水と、水源から供給される低温水または前記中温配管から供給される中温水とを混合することで、給湯先へ供給される湯を温度調節する少なくとも一つの混合手段と、
前記中温水が前記少なくとも一つの混合手段へ供給される流路状態である中温水利用状態と、前記低温水が前記少なくとも一つの混合手段へ供給される流路状態である中温水非利用状態とを切り替える流路切替手段と、
前記中温水の温度を検出する手段と、
前記少なくとも一つの混合手段及び前記流路切替手段を制御する手段と、
を備え、
給湯設定温度より低い温度である第一基準温度に比べて前記中温水の温度が低い場合には、前記流路切替手段を前記中温水利用状態へ切り替え、前記給湯設定温度より低く前記第一基準温度より高い温度である第二基準温度に比べて前記中温水の温度が高い場合には、前記流路切替手段を前記中温水非利用状態へ切り替え、
前記貯湯タンク内から水を導出して前記貯湯タンク内に戻す回路の水を循環させる運転を実行するときには、前記流路切替手段を前記中温水非利用状態へ切り替える貯湯式給湯システム。
【請求項６】
前記流路切替手段を切り替えた後に前記給湯先へ給湯する初期の段階では、その後の段階に比べて、前記少なくとも一つの混合手段に対する制御時間間隔を短くする請求項１から請求項５のいずれか一項に記載の貯湯式給湯システム。
【請求項７】
前記少なくとも一つの混合手段は、第一混合手段及び第二混合手段を含み、
前記第一混合手段の給湯先への給湯設定温度と、前記第二混合手段の給湯先への給湯設定温度とのうちの低い方の値に基づいて、前記第一基準温度及び前記第二基準温度が設定される請求項１から請求項６のいずれか一項に記載の貯湯式給湯システム。
【発明の詳細な説明】
【技術分野】
【０００１】
本発明は、貯湯式給湯システムに関する。
【背景技術】
【０００２】
下記特許文献１には、以下のような貯湯式給湯システムが開示されている。第１混合弁（２２）及び第２混合弁（２９）を備える。第１混合弁（２２）は、貯湯タンク（２）の上部に接続された出湯管（７）からの湯水と給水バイパス管（２３）からの湯水とを混合する。第２混合弁（２９）は、給水バイパス管（２３）の途中に設けられる。第２混合弁（２９）は、給水バイパス管（２３）を流れる湯水に中間出湯管（２７）からの湯水を混合する。
【０００３】
中間温度センサ（２８）の検出温度が、給湯設定温度より一定温度（例えば５℃）高い温度より高い場合は、第２混合弁（２９）で中間出湯管（２７）からの湯水と給水バイパス管（２３）からの水とを設定温度に混合して給湯する。このとき、第１混合弁（２２）では出湯管（７）側を全閉にする。
【０００４】
中間温度センサ（２８）の検出温度が、給湯設定温度より一定温度（例えば５℃）低い温度より低い場合は、第２混合弁（２９）の中間出湯管（２７）側を全開にし、第１混合弁（２２）で出湯管（７）からの湯水を混合して給湯設定温度の湯を給湯する。
【０００５】
中間温度センサ（２８）の検出温度が、給湯設定温度より一定温度高い温度未満、かつ、給湯設定温度より一定温度低い温度以上のときは、第２混合弁（２９）で中間出湯管（２７）からの湯水と給水バイパス管（２３）からの水とを給湯設定温度より所定温度（例えば５℃）低い温度になるよう混合し、この混合された湯水に出湯管（７）からの湯水を混合して給湯設定温度の湯を給湯するように第１混合弁（２２）が制御される。
【先行技術文献】
【特許文献】
【０００６】
【特許文献１】特開２００４−１９７９５８号公報
【発明の概要】
【発明が解決しようとする課題】
【０００７】
貯湯タンクの中間部は、湯水の放熱、貯湯タンク内の高温部と低温部との熱拡散等の影響により、温度変動が大きい。このため、貯湯タンクの中間部から取り出される中温水の温度は、急激な変動、例えば１秒間に５℃以上の変動、を生じることもある。
【０００８】
上述した特許文献１の技術では、以下のような場合に、給湯温度が大きく変動しやすい。中間温度センサ（２８）で検出される中温水の温度が、給湯設定温度より一定温度（例えば５℃）高い温度より高い場合は、第２混合弁（２９）で中温水と水源からの低温水とを設定温度に混合して給湯する。このとき、第１混合弁（２２）は出湯管（７）側が全閉になっている。中間出湯管（２７）からの中温水の温度が急低下した場合、給湯温度が急低下する。そのような給湯温度の急低下が検出されると、第１混合弁（２２）が出湯管（７）側を開くように、大きく作動する。その結果、給湯温度が急激に上昇し、オーバーシュートする可能性がある。
【０００９】
本発明は、上述のような課題を解決するためになされたもので、貯湯タンクの中温水を有効利用することと、給湯温度の変動を小さくすることとを両立できる貯湯式給湯システムを提供することを目的とする。
【課題を解決するための手段】
【００１０】
本発明に係る貯湯式給湯システムは、貯湯タンクと、貯湯タンクの上部に接続された高温配管と、高温配管の接続位置より低い位置で貯湯タンクに接続された中温配管と、高温配管から供給される高温水と、水源から供給される低温水または中温配管から供給される中温水とを混合することで、給湯先へ供給される湯を温度調節する少なくとも一つの混合手段と、中温水が少なくとも一つの混合手段へ供給される流路状態である中温水利用状態と、低温水が少なくとも一つの混合手段へ供給される流路状態である中温水非利用状態とを切り替える流路切替手段と、中温水の温度を検出する手段と、少なくとも一つの混合手段及び流路切替手段を制御する手段と、を備え、給湯設定温度より低い温度である第一基準温度に比べて中温水の温度が低い場合には、流路切替手段を中温水利用状態へ切り替え、給湯設定温度より低く第一基準温度より高い温度である第二基準温度に比べて中温水の温度が高い場合には、流路切替手段を中温水非利用状態へ切り替え、給湯先への給湯が停止中のときに流路切替手段の切り替えを許容し、給湯先への給湯が実行中のときには流路切替手段の切り替えを実施しないものである。
また、本発明に係る貯湯式給湯システムは、貯湯タンクと、貯湯タンクの上部に接続された高温配管と、高温配管の接続位置より低い位置で貯湯タンクに接続された中温配管と、高温配管から供給される高温水と、水源から供給される低温水または中温配管から供給される中温水とを混合することで、給湯先へ供給される湯を温度調節する少なくとも一つの混合手段と、中温水が少なくとも一つの混合手段へ供給される流路状態である中温水利用状態と、低温水が少なくとも一つの混合手段へ供給される流路状態である中温水非利用状態とを切り替える流路切替手段と、中温水の温度を検出する手段と、少なくとも一つの混合手段及び流路切替手段を制御する手段と、を備え、給湯設定温度より低い温度である第一基準温度に比べて中温水の温度が低い場合には、流路切替手段を中温水利用状態へ切り替え、給湯設定温度より低く第一基準温度より高い温度である第二基準温度に比べて中温水の温度が高い場合には、流路切替手段を中温水非利用状態へ切り替え、流路切替手段が中温水利用状態で給湯先への給湯が停止中のときの少なくとも一つの混合手段は、第一待機位置にあり、流路切替手段が中温水非利用状態で給湯先への給湯が停止中のときの少なくとも一つの混合手段は、第二待機位置にあり、第二待機位置は、第一待機位置に比べて、高温水の混合割合が高くなる位置であり、流路切替手段を中温水利用状態から中温水非利用状態へ切り替えた後に少なくとも一つの混合手段を第一待機位置から第二待機位置へ作動させるものである。
また、本発明に係る貯湯式給湯システムは、貯湯タンクと、貯湯タンクの上部に接続された高温配管と、高温配管の接続位置より低い位置で貯湯タンクに接続された中温配管と、高温配管から供給される高温水と、水源から供給される低温水または中温配管から供給される中温水とを混合することで、給湯先へ供給される湯を温度調節する少なくとも一つの混合手段と、中温水が少なくとも一つの混合手段へ供給される流路状態である中温水利用状態と、低温水が少なくとも一つの混合手段へ供給される流路状態である中温水非利用状態とを切り替える流路切替手段と、中温水の温度を検出する手段と、少なくとも一つの混合手段及び流路切替手段を制御する手段と、第一運転モードに比べてエネルギー効率の向上を優先する運転モードである第二運転モードをユーザーが設定可能にする手段と、を備え、給湯設定温度より低い温度である第一基準温度に比べて中温水の温度が低い場合には、流路切替手段を中温水利用状態へ切り替え、給湯設定温度より低く第一基準温度より高い温度である第二基準温度に比べて中温水の温度が高い場合には、流路切替手段を中温水非利用状態へ切り替え、第二運転モードが設定されている場合にはそうでない場合に比べて、第一基準温度及び第二基準温度の値を高くするものである。
また、本発明に係る貯湯式給湯システムは、貯湯タンクと、貯湯タンクの上部に接続された高温配管と、高温配管の接続位置より低い位置で貯湯タンクに接続された中温配管と、高温配管から供給される高温水と、水源から供給される低温水または中温配管から供給される中温水とを混合することで、給湯先へ供給される湯を温度調節する少なくとも一つの混合手段と、中温水が少なくとも一つの混合手段へ供給される流路状態である中温水利用状態と、低温水が少なくとも一つの混合手段へ供給される流路状態である中温水非利用状態とを切り替える流路切替手段と、中温水の温度を検出する手段と、少なくとも一つの混合手段及び流路切替手段を制御する手段と、を備え、給湯設定温度より低い温度である第一基準温度に比べて中温水の温度が低い場合には、流路切替手段を中温水利用状態へ切り替え、給湯設定温度より低く第一基準温度より高い温度である第二基準温度に比べて中温水の温度が高い場合には、流路切替手段を中温水非利用状態へ切り替え、貯湯タンク内から水を導出して貯湯タンク内に戻す回路の水を循環させる運転を実行するときには、流路切替手段を中温水非利用状態へ切り替えるものである。
【発明の効果】
【００１１】
本発明の貯湯式給湯システムによれば、貯湯タンクの中温水を有効利用することと、給湯温度の変動を小さくすることとを両立することが可能となる。
【図面の簡単な説明】
【００１２】
【図１】実施の形態１の貯湯式給湯システムを示す図である。
【図２】実施の形態１において実行されるルーチンのフローチャートである。
【発明を実施するための形態】
【００１３】
実施の形態１．
図１は、実施の形態１の貯湯式給湯システムを示す図である。図１に示す本実施の形態１の貯湯式給湯システム３５は、タンクユニット３３、ＨＰ（ヒートポンプ）ユニット７、及びリモコン４４を備える。ＨＰユニット７とタンクユニット３３との間は、ＨＰ往き配管１４とＨＰ戻り配管１５と図示しない電気配線とを介して接続されている。タンクユニット３３には、制御装置３６が内蔵されている。タンクユニット３３及びＨＰユニット７が備える各種弁類、ポンプ類等の作動は、これらと電気的に接続された制御装置３６により制御される。
【００１４】
リモコン４４は、運転動作指令及び設定値の変更に関するユーザーの操作を受け付ける機能を有する。リモコン４４は、操作端末またはユーザーインターフェース装置の例である。制御装置３６とリモコン４４の間は、有線または無線により、双方向にデータ通信可能に接続されている。リモコン４４には、図示を省略するが、貯湯式給湯システム３５の状態等の情報を表示する表示部、ユーザーが操作するスイッチ等の操作部、スピーカ、マイク等が搭載されている。リモコン４４は、台所に設置されてもよい。リモコン４４は、浴室に設置されてもよい。貯湯式給湯システム３５は、複数台のリモコン４４を備えてもよい。
【００１５】
ＨＰユニット７は、水を加熱する加熱手段の例である。ＨＰユニット７は、圧縮機１、水冷媒熱交換器３、膨張弁４、空気熱交換器６を冷媒配管５にて環状に接続した冷媒回路を備える。ＨＰユニット７は、この冷媒回路によりヒートポンプサイクルの運転を行う。水冷媒熱交換器３では、圧縮機１で圧縮された冷媒と、タンクユニット３３から導かれた水との間で熱を交換することで、水が加熱される。圧縮機１で圧縮された冷媒と、水道等の水源から直接供給される水とを水冷媒熱交換器３で熱交換させることができる構成を備えてもよい。
【００１６】
タンクユニット３３には、以下の各種部品及び配管などが内蔵されている。貯湯タンク８は、湯水を貯留する。貯湯タンク８の下部に設けられた水導入口８ａには、第３給水配管９ｃが接続されている。水道等の水源から供給される水（以下、「低温水」と称する）は、減圧弁３１で所定圧力に調圧された上で、第３給水配管９ｃを通って貯湯タンク８内に流入する。貯湯タンク８の上部には、温水導入出口８ｄ及び温水導出口８ｅが設けられている。温水導入出口８ｄには、送湯配管１３の一端と、高温配管２１の一端とが接続されている。高温配管２１は、貯湯タンク８内に貯留された湯を貯湯式給湯システム３５の外部へ供給する際に使用される。温水導出口８ｅには、第１温水導入配管２０ａが接続されている。
【００１７】
貯湯タンク８には、ＨＰユニット７を用いて加熱された高温水が温水導入出口８ｄから流入するとともに、水源から第３給水配管９ｃを通って供給される低温水が水導入口８ａから流入する。貯湯タンク８内には、上側が高温で下側が低温となる温度成層を形成して、湯水が貯留される。貯湯タンク８の表面には、複数の貯湯温度センサ４２，４３，５２が、相異なる高さの位置に取り付けられている。制御装置３６は、これらの貯湯温度センサ４２，４３，５２で貯湯タンク８内の湯水の温度分布を検出することにより、貯湯タンク８内の貯湯量及び蓄熱量を把握できる。
【００１８】
タンクユニット３３内には、循環ポンプ１２及び利用側熱交換器２０が内蔵されている。循環ポンプ１２は、タンクユニット３３内の後述する各種配管に湯水を循環させるためのポンプである。循環ポンプ１２は、ＨＰ往き配管１４の途中に接続されている。利用側熱交換器２０は、ＨＰユニット７または貯湯タンク８から供給される高温水と、２次側の加熱対象流体との間で熱を交換させることで、加熱対象流体を加熱する。本実施の形態における加熱対象流体は、浴槽３０から導かれる浴槽水である。加熱対象流体は、浴槽水に限定されるものではなく、例えば暖房用熱媒体でもよい。
【００１９】
本実施の形態では、利用側熱交換器２０の２次側の構成として、浴槽３０の浴槽水を循環させるふろ往き配管２７及びふろ戻り配管２８を例示して説明する。利用側熱交換器２０は、ふろ往き配管２７とふろ戻り配管２８の途中に設置されている。ふろ往き配管２７の途中には、利用側熱交換器２０から出た、熱交換後の浴槽水の温度を検出するふろ往き温度センサ３７が設置されている。ふろ戻り配管２８の途中には、浴槽水を循環させるためのふろ循環ポンプ２９と、浴槽３０から出た浴槽水の温度を検出するふろ戻り温度センサ３８とが設置されている。
【００２０】
第１四方弁１８は、湯水が流入する入口であるｂポート及びｃポートと、湯水が流出する出口であるａポート及びｄポートとを備える流路切替手段である。第１四方弁１８は、４つの経路、すなわちａ−ｂ、ａ−ｃ、ｂ−ｄ、ｃ−ｄの間で流路切替可能に構成されている。
【００２１】
第２四方弁１１は、湯水が流入する入口であるａポート及びｄポートと、湯水が流出する出口であるｂポート及びｃポートとを備える流路切替手段である。第２四方弁１１は、４つの経路、すなわちａ−ｂ、ａ−ｃ、ｂ−ｄ、ｃ−ｄの間で流路切替可能に構成されている。
【００２２】
ＨＰ往き配管１４は、利用側熱交換器２０の１次側出口と、ＨＰユニット７の入口との間をつなぐ。ＨＰ戻り配管１５は、ＨＰユニット７の出口と、第１四方弁１８のｃポートとの間をつなぐ。第１水導出口配管１０ａは、貯湯タンク８の下部に設けられた水導出口８ｂと、第２四方弁１１のａポートとの間をつなぐ。第２水導出口配管１０ｂは、ＨＰ往き配管１４における循環ポンプ１２と利用側熱交換器２０の１次側出口との間にある分岐部と、第２四方弁１１のｃポートとの間をつなぐ。送湯配管１３は、第１四方弁１８のｄポートと、貯湯タンク８の上部の温水導入出口８ｄとの間をつなぐ。第１バイパス配管１６は、第１四方弁１８のａポートと、貯湯タンク８の温水導入口８ｃとの間をつなぐ。温水導入口８ｃは、貯湯タンク８の高さ方向の中央部と下部との間にある。第２バイパス配管１７は、ＨＰ往き配管１４における循環ポンプ１２とＨＰユニット７の入口との間にある分岐部と、第１四方弁１８のｂポートとの間をつなぐ。第１温水導入配管２０ａは、貯湯タンク８の上部の温水導出口８ｅと、第２四方弁１１のｄポートとの間をつなぐ。第２温水導入配管２０ｂは、第２四方弁１１のｂポートと、利用側熱交換器２０の１次側入口との間をつなぐ。
【００２３】
給湯用混合弁２２は、高温側入口、低温側入口、及び出口を備える。ふろ用混合弁２３は、高温側入口、低温側入口、及び出口を備える。貯湯タンク８の上部の温水導入出口８ｄに一端が接続された高温配管２１の他端側は、二手に分岐して、給湯用混合弁２２の高温側入口と、ふろ用混合弁２３の高温側入口とに接続されている。
【００２４】
三方弁７８は、湯水が流入する入口であるａポート及びｂポートと、湯水が流出するｃポートとを備える流路切替手段である。三方弁７８は、２つの経路、すなわちａ−ｃ、ｂ−ｃの間で流路切替可能に構成されている。第１給水配管９ａの一端は、水道等の水源に接続される。第１給水配管９ａの他端は、減圧弁３１を介して第２給水配管９ｂ及び第３給水配管９ｃに接続されている。第１給水配管９ａの途中には、第１給水配管９ａを通る水の温度を検出する給水温度センサ５０が取り付けられている。第２給水配管９ｂは、減圧弁３１の２次側と三方弁７８のａポートとの間をつなぐ。第３給水配管９ｃは、第２給水配管９ｂの途中から分岐し、貯湯タンク８の下部の水導入口８ａに接続されている。水配管１９の一端は、三方弁７８のｃポートに接続されている。水配管１９の他端側は、二手に分岐して、給湯用混合弁２２の低温側入口と、ふろ用混合弁２３の低温側入口とに接続されている。中温配管７９は、貯湯タンク８の高さ方向の中間部に設けられた中温導出口８ｆと、三方弁７８のｂポートとの間をつなぐ。中温導出口８ｆは、温水導入出口８ｄより低い位置にある。
【００２５】
三方弁７８は、中温配管７９が水配管１９に連通して第２給水配管９ｂが遮断される流路状態に切り替え可能である。この流路状態を以下「中温水利用状態」と称する。中温水利用状態において給湯先へ湯を供給する場合には、貯湯タンク８の中温導出口８ｆから中温配管７９へ流出する中温水が、水配管１９を通って、給湯用混合弁２２及びふろ用混合弁２３の低温側入口へ供給される。貯湯温度センサ５２は、中温導出口８ｆの近傍の貯湯タンク８の表面に取り付けられている。貯湯温度センサ５２により、中温水の温度を検出できる。
【００２６】
三方弁７８は、第２給水配管９ｂが水配管１９に連通して中温配管７９が遮断される流路状態に切り替え可能である。この流路状態を以下「中温水非利用状態」と称する。中温水非利用状態において給湯先へ湯を供給する場合には、水源から第１給水配管９ａ及び第２給水配管９ｂを経由して供給される低温水が、水配管１９を通って、給湯用混合弁２２及びふろ用混合弁２３の低温側入口へ供給される。
【００２７】
第１給湯配管２４は、給湯用混合弁２２の出口と、タンクユニット３３の筐体に設置された給湯栓３４との間をつなぐ。第１給湯配管２４の途中には、第１給湯配管２４を通る湯の流量を検出する給湯用流量センサ４８と、第１給湯配管２４を通る湯の温度を検出する給湯温度センサ５１とが設けられている。第２給湯配管２５は、ふろ用混合弁２３の出口と、ふろ往き配管２７の途中にある分岐部との間をつなぐ。第２給湯配管２５の途中には、第２給湯配管２５を開閉するふろ用電磁弁２６と、第２給湯配管２５を通る湯の流量を検出するふろ用流量センサ４５とが設けられている。
【００２８】
給湯用混合弁２２は、貯湯タンク８の上部から高温配管２１を通って供給される高温水と、水配管１９から供給される中温水または低温水とを混合することで、給湯先へ供給される湯を温度調節する第一混合手段の例である。タンクユニット３３の外部から、給湯栓３４に対して、外部給湯配管（図示省略）が接続される。給湯用混合弁２２で温度調節された湯は、第１給湯配管２４、給湯栓３４、及び外部給湯配管を経由して、ユーザーが使用するシャワーまたはカラン等の蛇口のような給湯先へ供給される。
【００２９】
ユーザーは、リモコン４４を操作することで、給湯用混合弁２２の給湯先、すなわち上記蛇口に対する給湯設定温度を所望の値に変更できる。給湯用混合弁２２の給湯先へ給湯する際には、制御装置３６は、給湯温度センサ５１で検出される給湯温度が、給湯設定温度に等しくなるように、給湯用混合弁２２を制御する。
【００３０】
ふろ用混合弁２３は、貯湯タンク８の上部から高温配管２１を通って供給される高温水と、水配管１９から供給される中温水または低温水とを混合することで、給湯先すなわち浴槽３０へ供給される湯を温度調節する第二混合手段の例である。浴槽３０へ湯を供給する場合には、以下のようになる。ふろ用電磁弁２６が開かれる。ふろ用混合弁２３で温度調節された湯は、第２給湯配管２５と、ふろ往き配管２７及びふろ戻り配管２８の少なくとも一方を通って、浴槽３０へ流入する。
【００３１】
ユーザーは、リモコン４４を操作することで、ふろ用混合弁２３の給湯先、すなわち浴槽３０に対する給湯設定温度を所望の値に変更できる。浴槽３０へ給湯する際には、制御装置３６は、ふろ往き温度センサ３７またはふろ戻り温度センサ３８で検出される給湯温度が、給湯設定温度に等しくなるように、ふろ用混合弁２３を制御する。
【００３２】
第１四方弁１８は、ＨＰ戻り配管１５と送湯配管１３とが連通する形態、ＨＰ戻り配管１５と第１バイパス配管１６とが連通する形態、第１バイパス配管１６と第２バイパス配管１７とが連通する形態、及び、送湯配管１３と第２バイパス配管１７とが連通する形態、の４つの流路形態に切り替え可能である。第２四方弁１１は、第１水導出口配管１０ａと第２水導出口配管１０ｂとが連通する形態と、第１水導出口配管１０ａと第２温水導入配管２０ｂとが連通する形態、及び、第１温水導入配管２０ａと第２温水導入配管２０ｂとが連通する形態の３つの流路形態に切り替え可能である。
【００３３】
以下、本実施の形態１の貯湯式給湯システム３５の動作について、さらに説明する。水源から第１給水配管９ａを通って供給された低温水は、減圧弁３１で所定圧に減圧され、第３給水配管９ｃを通って貯湯タンク８の下部に流入する。貯湯タンク８内は、常に満水状態に維持される。ＨＰユニット７で加熱された高温水を貯湯タンク８に蓄積する運転である蓄熱運転のときには、以下のようになる。ＨＰユニット７及び循環ポンプ１２が運転される。貯湯タンク８内の下部の水が、第１水導出口配管１０ａ、第２四方弁１１、第２水導出口配管１０ｂ、及びＨＰ往き配管１４を経由して、ＨＰユニット７内の水冷媒熱交換器３に送られる。水冷媒熱交換器３を通過する間に加熱された湯すなわち高温水が、ＨＰ戻り配管１５、第１四方弁１８、及び送湯配管１３を経由して、温水導入出口８ｄから貯湯タンク８に流入する。このとき、第２四方弁１１はａポートとｃポートとが導通し、第１四方弁１８はｃポートとｄポートとが導通している。
【００３４】
蓄熱運転のとき、制御装置３６は、ＨＰユニット７から流出する湯の温度（以下、「加熱後温度」と称する）が目標値に等しくなるように、ＨＰユニット７及び循環ポンプ１２の少なくとも一方の動作を制御してもよい。加熱後温度の目標値は、例えば、６５℃〜９０℃の範囲にある温度でもよい。ＨＰ戻り配管１５に取り付けられたＨＰ出湯温度センサ３９により加熱後温度を検出できる。
【００３５】
ＨＰ往き配管１４に取り付けられたＨＰ入水温度センサ４０は、ＨＰユニット７に流入する水の温度（以下、「加熱前温度」と称する）を検出できる。制御装置３６は、ＨＰ入水温度センサ４０で検出される加熱前温度が基準（例えば６０℃）以上になった場合に、貯湯タンク８の全量が湯で満たされたと判断して、蓄熱運転を終了してもよい。制御装置３６は、必要な蓄熱量に応じて、貯湯タンク８の全量が湯で満たされる前に蓄熱運転を終了してもよい。
【００３６】
ＨＰユニット７のようなヒートポンプ方式により水を加熱する運転においては、一般に、加熱前温度が低いときには加熱効率が高くなり、加熱前温度が高いときには加熱効率が低くなるという特性がある。
【００３７】
貯湯タンク８に貯えられた湯は、さまざまな要因で、温度低下を起こし、貯湯タンク８内に中温水が徐々に発生していく。例えば、貯えられた時間が長くなるにつれて、自然放熱により、貯湯タンク８内の湯が温度低下を生じる。また、利用側熱交換器２０を用いたふろ追焚き運転あるいは床暖房等を行うことで、貯湯タンク８内に中温水が生成される。また、ふろ排熱回収運転を行うことで、貯湯タンク８内の水が浴槽３０内の湯との熱交換により加熱されることで中温水が生成される。以下では、例として、ふろ追焚き運転とふろ排熱回収運転を行う場合の動作及び中温水の生成について説明する。
【００３８】
ふろ追焚き運転を行う場合には、以下のようになる。リモコン４４により制御装置３６がふろ追焚き運転開始の指示を受けるとき、または、ふろ循環ポンプ２９の運転により浴槽３０内の浴槽水の温度をふろ戻り温度センサ３８で検出し、所定温度以下まで浴槽３０の温度低下があるときは、ふろ追焚き運転が開始される。ふろ追焚き運転が開始されると、ふろ循環ポンプ２９が動作し、浴槽３０内の浴槽水が、ふろ戻り配管２８、利用側熱交換器２０、及びふろ往き配管２７を通って浴槽３０内に戻るように循環する。一方、循環ポンプ１２も動作して、貯湯タンク８の上部より高温の貯湯水が、第１温水導入配管２０ａ、第２四方弁１１、及び第２温水導入配管２０ｂを経由して、利用側熱交換器２０に送られる。高温の貯湯水は、利用側熱交換器２０を通過する間に浴槽水に熱を奪われることで、温度が低下し、中温水になる。この中温水の温度は、例えば５０℃程度である。この中温水は、利用側熱交換器２０からＨＰ往き配管１４、第２バイパス配管１７、第１四方弁１８、及び第１バイパス配管１６を経由して、温水導入口８ｃから貯湯タンク８に流入する。このとき、第２四方弁１１はｄポートとｂポートとが導通し、第１四方弁１８はｂポートとａポートとが導通している。
【００３９】
このようなふろ追焚きを継続するにつれて、貯湯タンク８内の高温の貯湯水が減少し、中温水が増加していく。ふろ追焚きで生成された中温水が貯湯タンク８内に多量にある状態で、蓄熱運転を実施すると、低温水に代えて中温水をＨＰユニット７で加熱することになるため、加熱前温度が高くなり、ＨＰユニット７の加熱効率が低くなる。
【００４０】
ふろ排熱回収運転を行う場合には、以下のようになる。リモコン４４により制御装置３６がふろ排熱回収開始の指示を受けるときには、ふろ排熱回収運転が開始される。ふろ排熱回収運転が開始されると、まず、貯湯タンク８の貯湯状態が、ふろ排熱回収運転を実施できる状態であるかどうかを以下のようにして確認する。ふろ循環ポンプ２９を動作させ、浴槽３０内の浴槽水の温度をふろ戻り温度センサ３８により検出する。貯湯タンク８の下部の温度を貯湯温度センサ４３により検出する。貯湯温度センサ４３で検出された貯湯タンク８の下部の温度が、ふろ戻り温度センサ３８で検出された浴槽３０内の浴槽水の温度より低い場合には、ふろ排熱回収運転を実施可能と判断する。ふろ排熱回収運転を実施可能と判断された場合には、循環ポンプ１２も動作させる。貯湯タンク８の下部より、低温の貯湯水が、第１水導出口配管１０ａ、第２四方弁１１、及び第２温水導入配管２０ｂを経由して、利用側熱交換器２０に送られる。低温の貯湯水は、利用側熱交換器２０を通過する間に浴槽水から熱を受け取ることで、温度が上昇し、中温水になる。この中温水の温度は、例えば３０℃程度である。この中温水は、利用側熱交換器２０からＨＰ往き配管１４、第２バイパス配管１７、第１四方弁１８、及び第１バイパス配管１６を経由して、温水導入口８ｃから貯湯タンク８に流入する。このとき、第２四方弁１１はａポートとｂポートとが導通し、第１四方弁１８はｂポートとａポートとが導通している。
【００４１】
貯湯温度センサ４３で検出される貯湯タンク８の下部の温度が、ふろ戻り温度センサ３８で検出される浴槽水の温度に近くなると、それ以上の排熱回収、すなわち浴槽水から低温の貯湯水への伝熱が行われなくなる。制御装置３６は、貯湯温度センサ４３の検出温度とふろ戻り温度センサ３８の検出温度との差が基準に比べて小さくなった場合には、ふろ排熱回収運転を終了する。
【００４２】
このようなふろ排熱回収運転を行うと、貯湯タンク８内の低温水が減少し、中温水が増加する。ふろ排熱回収運転で生成された中温水が貯湯タンク８内に多量にある状態で、蓄熱運転を実施すると、低温水に代えて中温水をＨＰユニット７で加熱することになるため、加熱前温度が高くなり、ＨＰユニット７の加熱効率が低くなる。
【００４３】
本実施の形態であれば、三方弁７８が中温水利用状態にあるときに給湯先へ湯を供給する場合には、中温配管７９から供給される中温水が給湯用混合弁２２及びふろ用混合弁２３へ供給される。貯湯タンク８内の中温水が中温配管７９へ流出すると、低温水が第３給水配管９ｃから貯湯タンク８の下部へ流入する。本実施の形態であれば、貯湯タンク８内の中温水を給湯に利用できるので、中温水が持つ熱量を有効利用できる。また、貯湯タンク８内の中温水を消費することで、貯湯タンク８内の中温水を、第３給水配管９ｃから流入する低温水に置換できる。このため、蓄熱運転を実施したときに、加熱前温度を低くすることができ、ＨＰユニット７の加熱効率が高くなる。
【００４４】
次に、給湯用混合弁２２を用いた給湯に関する制御について、図２を参照して説明する。図２は、実施の形態１において実行されるルーチンのフローチャートである。図２は、三方弁７８の切り替えの制御に関するフローチャートである。本実施の形態では、制御装置３６が本フローチャートの処理を実行する。制御装置３６は、貯湯式給湯システム３５の状態にかかわらず、本フローチャートのルーチンを周期的に繰り返し実行する。制御装置３６は、給湯用混合弁２２を用いた給湯をユーザーが使用することが想定される場合には、常時、本フローチャートのルーチンを繰り返し実行する。
【００４５】
図２のステップＳ１０では、給湯用混合弁２２の給湯先への給湯が実行中であるか停止中であるかを判定する。本実施の形態では、第１給湯配管２４の給湯用流量センサ４８の出力に基づいて、給湯用混合弁２２の給湯先への給湯が実行中であるか停止中であるかを判定できる。給湯用混合弁２２の給湯先への給湯が実行中である場合には、三方弁７８の切り替えを実施することなく、ルーチンを終了する。
【００４６】
仮に、給湯用混合弁２２の給湯先への給湯が実行中のときに三方弁７８の切り替えを実施すると、給湯用混合弁２２の低温側入口に流入する水が、中温水から低温水へ、あるいは低温水から中温水へ、切り替わることで、給湯温度が変動しやすい。給湯温度センサ５１で検出される温度に応じて給湯用混合弁２２が制御されるが、少なくとも給湯用混合弁２２から給湯温度センサ５１までの流路容積に相当する湯の温度は制御できないなどの理由で、給湯用混合弁２２の低温側入口に流入する水の温度の変動が給湯温度の変動をもたらすことを完全に防止することはできない。これに対し、本実施の形態であれば、給湯用混合弁２２の給湯先への給湯が実行中のときには三方弁７８の切り替えを実施しないようにすることで、給湯温度が変動することをより確実に抑制できる。
【００４７】
給湯用混合弁２２の給湯先への給湯が停止中である場合には、ステップＳ１０からステップＳ１１へ移行する。ステップＳ１１では、中温水の温度を貯湯温度センサ５２により検出する。本実施の形態であれば、中温配管７９に中温水が流れていない状態でも、中温水の温度を貯湯温度センサ５２により正確に検出できる。ステップＳ１１からステップＳ１２へ移行する。
【００４８】
ステップＳ１２では、三方弁７８が、ａポート−ｃポート間を導通する状態であるかどうか、すなわち中温水非利用状態であるかどうかを判定する。三方弁７８が中温水非利用状態である場合には、ステップＳ１２からステップＳ１３へ移行する。三方弁７８が中温水非利用状態でない場合、すなわち三方弁７８が中温水利用状態である場合には、ステップＳ１２からステップＳ１６へ移行する。
【００４９】
現在の三方弁７８が中温水非利用状態であるステップＳ１３では、ステップＳ１１で検出された中温水の温度が、第一基準温度に比べて低いか否かを判定する。第一基準温度は、給湯用混合弁２２の給湯先に対する給湯設定温度より低い温度である。第一基準温度は、当該給湯設定温度に比べて所定の第一温度差だけ低い温度でもよい。当該第一温度差は、例えば、８℃でもよい。中温水の温度が第一基準温度未満であるか第一基準温度に等しい場合に、中温水の温度が第一基準温度に比べて低い、と判定してもよい。
【００５０】
中温水の温度が第一基準温度に比べて低くない場合には、三方弁７８を中温水非利用状態から中温水利用状態へ切り替えることなく、ステップＳ１３の後、ルーチンを終了する。中温水の温度が第一基準温度に比べて低い場合には、ステップＳ１３からステップＳ１４へ移行する。ステップＳ１４では、給湯用混合弁２２の待機位置が第二待機位置から第一待機位置へ変化するように、給湯用混合弁２２を作動させる。ステップＳ１４からステップＳ１５へ移行する。ステップＳ１５では、三方弁７８を中温水非利用状態から中温水利用状態へ切り替える。すなわち、三方弁７８を、ａポート−ｃポート間を導通する状態から、ｂポート−ｃポート間を導通する状態へ切り替える。ステップＳ１５の後、ルーチンを終了する。
【００５１】
ここで、給湯用混合弁２２の待機位置について説明する。給湯用混合弁２２の待機位置とは、給湯用混合弁２２の給湯先への給湯が停止中のときに給湯用混合弁２２が待機している位置である。第一待機位置は、三方弁７８が中温水利用状態であるときの給湯用混合弁２２の待機位置である。制御装置３６は、以下のようにして、第一待機位置を計算できる。制御装置３６は、貯湯温度センサ４２で検出される高温水の温度と、貯湯温度センサ５２で検出される中温水の温度とに基づいて、給湯設定温度を満足できるような高温水と中温水との混合比を計算できる。制御装置３６は、給湯用混合弁２２において、そのような混合比を満足できるように、高温側入口に連通する開口面積と、低温側入口に連通する開口面積との比を計算できる。制御装置３６は、そのような混合比または開口面積の比を満足できるように、給湯用混合弁２２の弁体の待機位置を計算できる。そのような弁体の待機位置が第一待機位置に相当する。
【００５２】
給湯用混合弁２２の給湯先への給湯が停止中で三方弁７８が中温水利用状態であるときに給湯用混合弁２２が第一待機位置にあるようにすることで、給湯が開始された場合に、給湯温度を速やかに給湯設定温度に近づけることが可能となる。
【００５３】
第二待機位置は、三方弁７８が中温水非利用状態であるときの給湯用混合弁２２の待機位置である。制御装置３６は、以下のようにして、第二待機位置を計算できる。制御装置３６は、貯湯温度センサ４２で検出される高温水の温度と、給水温度センサ５０で検出される低温水の温度とに基づいて、給湯設定温度を満足できるような高温水と低温水との混合比を計算できる。制御装置３６は、給湯用混合弁２２において、そのような混合比を満足できるように、高温側入口に連通する開口面積と、低温側入口に連通する開口面積との比を計算できる。制御装置３６は、そのような混合比または開口面積の比を満足できるように、給湯用混合弁２２の弁体の待機位置を計算できる。そのような弁体の待機位置が第二待機位置に相当する。
【００５４】
給湯用混合弁２２の給湯先への給湯が停止中で三方弁７８が中温水非利用状態であるときに給湯用混合弁２２が第二待機位置にあるようにすることで、給湯が開始された場合に、給湯温度を速やかに給湯設定温度に近づけることが可能となる。
【００５５】
貯湯タンク８の中間部は、湯水の放熱、貯湯タンク８内の高温部と低温部との熱拡散、ふろ追焚き運転またはふろ排熱回収運転のときの温水導入口８ｃから貯湯タンク８への中温水の流入、などの影響により、温度変動が大きい。このため、貯湯タンク８から中温配管７９へ流出する中温水の温度は、急激な変動、例えば１秒間に５℃以上の変動、を生じることもある。
【００５６】
仮に、貯湯温度センサ５２で検出された中温水の温度が給湯設定温度以下になったことを契機として三方弁７８を中温水非利用状態から中温水利用状態に切り替えたとすると、その後の中温水の温度変動により、中温水の温度が給湯設定温度を超える可能性がある。そのような場合、給湯用混合弁２２から給湯先へ供給される湯の温度が給湯設定温度より高くなってしまう。これに対し、本実施の形態であれば、中温水の温度が、給湯設定温度より低い第一基準温度に比べて低くなるまでは、三方弁７８を中温水非利用状態から中温水利用状態に切り替えない。このため、貯湯タンク８の中間部の温度が変動しやすい状況のときでも、給湯用混合弁２２から給湯先へ供給される湯の温度が給湯設定温度より高くなってしまうことを確実に防止できる。
【００５７】
低温水の流入を想定した第二待機位置は、中温水の流入を想定した第一待機位置に比べて、高温水の混合割合が高くなる位置になる。すなわち、第二待機位置では、給湯用混合弁２２の高温側入口に連通する開口面積が、第一待機位置に比べて、大きくなる。
【００５８】
本実施の形態では、上述したステップＳ１４及びステップＳ１５のように、三方弁７８を中温水非利用状態から中温水利用状態に切り替える前に、給湯用混合弁２２を第二待機位置から第一待機位置へ作動させる。これとは逆に、三方弁７８を中温水非利用状態から中温水利用状態に切り替えた後に、給湯用混合弁２２を第二待機位置から第一待機位置へ作動させた仮定すると、以下のような可能性がある。三方弁７８が切り替わる途中で給湯が開始された場合には、高温水の混合割合が高い第二待機位置にある給湯用混合弁２２の低温側入口に中温水が流入する可能性がある。そのような場合、給湯用混合弁２２からの給湯温度が、一時的に、給湯設定温度より高くなる。シャワーのように、人体に直接湯を浴びる用途を想定すると、給湯温度が給湯設定温度より高くなる状態の発生は極力避けることが望ましい。これに対し、本実施の形態であれば、高温水の混合割合が低い第一待機位置に給湯用混合弁２２を切り替えた後に、三方弁７８を中温水利用状態へ切り替えるので、三方弁７８が切り替わる途中で給湯が開始された場合であっても、給湯用混合弁２２からの給湯温度が給湯設定温度より高くなることを確実に防止できる。
【００５９】
現在の三方弁７８が中温水利用状態であるステップＳ１６では、ステップＳ１１で検出された中温水の温度が、第二基準温度に比べて高いか否かを判定する。第二基準温度は、給湯用混合弁２２の給湯先に対する給湯設定温度より低く、かつ第一基準温度より高い温度である。第二基準温度は、当該給湯設定温度に比べて、上記第一温度差より小さい所定の第二温度差だけ低い温度でもよい。当該第二温度差は、例えば、６℃でもよい。中温水の温度が第二基準温度に等しいか第二基準温度を超える場合に、中温水の温度が第二基準温度に比べて高い、と判定してもよい。
【００６０】
中温水の温度が第二基準温度に比べて高くない場合には、三方弁７８を中温水利用状態から中温水非利用状態へ切り替えることなく、ステップＳ１６の後、ルーチンを終了する。中温水の温度が第二基準温度に比べて高い場合には、ステップＳ１６からステップＳ１７へ移行する。ステップＳ１７では、三方弁７８を中温水利用状態から中温水非利用状態へ切り替える。すなわち、三方弁７８を、ｂポート−ｃポート間を導通する状態から、ａポート−ｃポート間を導通する状態へ切り替える。ステップＳ１７からステップＳ１８へ移行する。ステップＳ１８では、給湯用混合弁２２の待機位置が第一待機位置から第二待機位置へ変化するように、給湯用混合弁２２を作動させる。ステップＳ１８の後、ルーチンを終了する。
【００６１】
第二基準温度が第一基準温度に等しいと仮定すると、以下のようになる。貯湯温度センサ５２の分解能が小さい場合、あるいは貯湯タンク８の中間部の温度変動が大きい貯湯タンク８の状態である場合には、貯湯温度センサ５２で検出した中温水の温度が変動することで、三方弁７８の頻繁な切り替えが発生し、その結果、給湯温度の変動が大きくなる可能性がある。これに対し、本実施の形態であれば、第二基準温度を第一基準温度より高くしたことで、ステップＳ１５またはステップＳ１８による三方弁７８の切り替えが行われた後、次の三方弁７８の切り替え条件が成立しにくくなる。それゆえ、三方弁７８の頻繁な切り替えの発生を防止でき、給湯温度の変動を確実に抑制できる。
【００６２】
本実施の形態では、中温水の温度が、給湯設定温度より低い第二基準温度に比べて高い場合には、三方弁７８を中温水利用状態から中温水非利用状態へ切り替えるので、中温水が給湯に利用されないようになる。仮に、中温水の温度が第二基準温度に比べて高い場合であって中温水の温度が給湯設定温度より少し低い場合に、中温水と高温水とを混合した湯を給湯先へ供給すると、以下のような問題がある。中温水の温度が給湯設定温度より少し低い温度の場合には、中温水に少量の高温水を混合して給湯先へ供給することになる。そのような場合に、中温水の温度が急激に変動すると、中温水の温度変動とほとんど同じ大きさの温度変動が給湯温度に生じてしまい、給湯温度に大きい変動が生じる。中温水の温度が給湯設定温度より少し高い場合に中温水に少量の低温水を混合して給湯先へ供給すると仮定した場合にも、同じようにして、給湯温度に大きい変動が生じる可能性がある。これに対し、本実施の形態では、中温水の温度が、給湯設定温度より低い第二基準温度に比べて高い場合には、中温水を給湯に利用しないようにすることで、給湯温度の変動を確実に抑制できる。
【００６３】
本実施の形態では、上述したステップＳ１７及びステップＳ１８のように、三方弁７８を中温水利用状態から中温水非利用状態に切り替えた後に、給湯用混合弁２２を第一待機位置から第二待機位置へ作動させる。これとは逆に、給湯用混合弁２２を第一待機位置から第二待機位置へ作動させた後に、三方弁７８を中温水利用状態から中温水非利用状態に切り替えると仮定すると、以下のような可能性がある。給湯用混合弁２２が第二待機位置へ切り替わった後、三方弁７８が切り替わる前に給湯が開始された場合には、高温水の混合割合が高い第二待機位置にある給湯用混合弁２２の低温側入口に中温水が流入する可能性がある。そのような場合、給湯用混合弁２２からの給湯温度が、一時的に、給湯設定温度より高くなる。これに対し、本実施の形態であれば、給湯用混合弁２２より先に三方弁７８を切り替えることで、高温水の混合割合が高い第二待機位置にある給湯用混合弁２２の低温側入口に中温水が流入することを確実に防止できる。よって、給湯用混合弁２２からの給湯温度が給湯設定温度より高くなることを確実に防止できる。
【００６４】
第一基準温度及び第二基準温度を高くすると、中温水を給湯に利用する機会が増加するので、貯湯式給湯システム３５のエネルギー効率がさらに向上する。例えば、前述した第一温度差（例えば８℃）及び第二温度差（例えば６℃）の値を縮小することで、第一基準温度及び第二基準温度が高くなる。その一方で、第一基準温度及び第二基準温度を高くすると、給湯温度の変動は多少増加する傾向がある。
【００６５】
貯湯式給湯システム３５は、第一運転モードと、第一運転モードに比べてエネルギー効率の向上を優先する運転モードである第二運転モードとをユーザーが選択して設定可能にする手段を備えてもよい。第一運転モードは、例えば、通常の運転モードでもよい。第二運転モードの名称は、いかなる名称でもよく、例えば、省エネモード、節電モードなどでもよい。ユーザーがリモコン４４を操作することで、第一運転モードと第二運転モードとを選択して設定可能であってもよい。制御装置３６は、第二運転モードが設定されている場合にはそうでない場合に比べて、第一基準温度及び第二基準温度の値を高くしてもよい。第一基準温度及び第二基準温度の値を高くすることで、貯湯式給湯システム３５のエネルギー効率がさらに向上するので、第二運転モードを選択したユーザーの意向に沿うことができる。
【００６６】
三方弁７８を、中温水非利用状態から中温水利用状態へ、あるいは中温水利用状態から中温水非利用状態へ、切り替えた後の給湯では、水配管１９の温度が、低温水の温度から中温水の温度へ急に上昇したり、あるいは中温水の温度から低温水の温度へ急に低下したりする。水配管１９の温度が安定するまでの間は、給湯温度が多少変動する可能性がある。このような状況における給湯温度の変動をより確実に抑制するために、以下のようにしてもよい。
【００６７】
制御装置３６は、三方弁７８を、中温水非利用状態から中温水利用状態へ、あるいは中温水利用状態から中温水非利用状態へ、切り替えた後に給湯する初期の段階では、その後の段階に比べて、給湯用混合弁２２に対する制御時間間隔を短くしてもよい。例えば、制御装置３６は、三方弁７８が切り替えた後に給湯する初期の段階では、通常時に比べて、給湯用混合弁２２に対する制御時間間隔を短くしてもよい。三方弁７８が切り替えた後に給湯する初期の段階は、上記の理由から、多少の給湯温度の変動が発生しやすい段階になる。当該段階において、給湯用混合弁２２に対する制御時間間隔を短くすることで、給湯温度が変動することをより確実に抑制できる。
【００６８】
ここで、制御時間間隔とは、給湯が行われている状態において、給湯用混合弁２２の高温側入口に連通する開口面積及び低温側入口に連通する開口面積の変更が終了し、それらの開口面積の次の変更が開始するまでの時間間隔のことを指す。以下の説明では、給湯用混合弁２２の高温側入口に連通する開口面積及び低温側入口に連通する開口面積を総称して単に「開口面積」と呼ぶ。給湯温度センサ５１で検出した給湯温度と給湯設定温度とに差がある場合、制御装置３６は、その差分から、給湯用混合弁２２の最適開口面積を算出し、その開口面積となるように給湯用混合弁２２を制御する。制御装置３６は、給湯用混合弁２２の開口面積の変更が終了し、制御時間間隔だけ待機した後、再び給湯用混合弁２２の最適開口面積を算出し、給湯用混合弁２２を制御する。制御時間間隔を設けることにより、給湯用混合弁２２の開口面積の変更による給湯温度の変化を給湯温度センサ５１で確実に検出することができ、不要な給湯用混合弁２２の制御及び給湯温度のハンチングを抑制することができる。
【００６９】
この制御時間間隔については、給湯用混合弁２２の出口から給湯温度センサ５１までの容積、あるいは給湯流量等のパラメータによって、最適な制御時間間隔は異なる。給湯流量は、ユーザー次第であり、使用シーンによっても変化するものであるため、ノイズ因子として捉えることができる。給湯用混合弁２２の出口から給湯温度センサ５１までの容積がより小さくなるように設計することで、給湯温度の変動をさらに小さくすることが可能となる。給湯用混合弁２２の出口から給湯温度センサ５１までの容積が小さければ、給湯温度の変動に対する給湯流量のノイズ因子の影響は小さくなる。そのような場合、最適な制御時間間隔は、例えば、０．１秒程度になることがある。
【００７０】
その一方で、給湯温度の変動が小さい状況である場合、特に給湯温度センサ５１の分解能が大きい場合には、制御時間間隔を短くしすぎると、ハンチングを引き起こす可能性がある。そのような場合には、最適な制御時間間隔は、例えば１．０秒程度になることがある。
【００７１】
図２では、給湯用混合弁２２を用いた給湯に関する制御について説明した。本実施の形態では、ふろ用混合弁２３を用いた給湯に関して、図２と同様にして制御してもよい。また、本実施の形態では、給湯用混合弁２２及びふろ用混合弁２３の双方に関して、図２と同様にして制御してもよい。その場合、以下のようにしてもよい。給湯用混合弁２２の給湯先に対する給湯設定温度の値と、ふろ用混合弁２３の給湯先に対する給湯設定温度の値とが異なる場合には、図２のステップＳ１３及びステップＳ１６において、制御装置３６は、給湯用混合弁２２の給湯先に対する給湯設定温度と、ふろ用混合弁２３の給湯先に対する給湯設定温度とのうちの低い方の値に基づいて、第一基準温度及び前記第二基準温度を設定してもよい。そのようにすることで、給湯用混合弁２２の給湯先とふろ用混合弁２３の給湯先とのいずれについても、中温水を利用する給湯が可能となる。
【００７２】
ふろ用混合弁２３の給湯先に対する給湯設定温度が、給湯用混合弁２２の給湯先に対する給湯設定温度より低い場合には、図２のステップＳ１３及びステップＳ１６において、前述した第一温度差及び第二温度差の値を小さくしてもよい。第一温度差及び第二温度差の値を小さくすることで、中温水をより多く利用できるので、エネルギー効率がさらに向上する。ふろ用混合弁２３の給湯先、すなわち浴槽３０に供給される湯は、直接人体に浴びる訳ではない。このため、図２のステップＳ１３及びステップＳ１６において、第一基準温度及び前記第二基準温度が、ふろ用混合弁２３の給湯先に対する給湯設定温度に近づくことで、ふろ用混合弁２３からの給湯温度が多少変動しやすくなっても、影響は少ない。
【００７３】
前述したように、ふろ追焚き運転あるいはふろ排熱回収運転の実行中は、温水導入口８ｃから貯湯タンク８へ中温水が流入することで、貯湯タンク８内の貯湯水の温度分布が乱される。このため、中温配管７９へ流出する中温水の温度が変動しやすくなる。制御装置３６は、ふろ追焚き運転あるいはふろ排熱回収運転を実行するときには、三方弁７８を中温水非利用状態に切り替えて固定してもよい。中温水の温度が変動しやすい、ふろ追焚き運転あるいはふろ排熱回収運転の実行中は、中温水を利用しない給湯にすることで、給湯温度の変動をより確実に抑制できる。本実施の形態におけるふろ追焚き運転及びふろ排熱回収運転は、貯湯タンク８内から水を導出して貯湯タンク８内に戻す回路の水を循環させる運転の例である。
【００７４】
貯湯式給湯機３５の制御装置３６、及びリモコン４４が備える制御装置、の各々は、以下のように構成されてもよい。制御装置の各機能は、処理回路により実現されてもよい。制御装置の処理回路は、少なくとも１つのプロセッサと少なくとも１つのメモリとを備えてもよい。処理回路が少なくとも１つのプロセッサと少なくとも１つのメモリとを備える場合、制御装置の各機能は、ソフトウェア、ファームウェア、またはソフトウェアとファームウェアとの組み合わせにより実現されてもよい。ソフトウェアおよびファームウェアの少なくとも一方は、プログラムとして記述されてもよい。ソフトウェアおよびファームウェアの少なくとも一方は、少なくとも１つのメモリに格納されてもよい。少なくとも１つのプロセッサは、少なくとも１つのメモリに記憶されたプログラムを読み出して実行することにより、制御装置の各機能を実現してもよい。少なくとも１つのメモリは、不揮発性または揮発性の半導体メモリ、磁気ディスク等を含んでもよい。
【００７５】
制御装置の処理回路は、少なくとも１つの専用のハードウェアを備えてもよい。処理回路が少なくとも１つの専用のハードウェアを備える場合、処理回路は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、またはこれらを組み合わせたものでもよい。制御装置の各部の機能がそれぞれ処理回路で実現されても良い。また、制御装置の各部の機能がまとめて処理回路で実現されても良い。制御装置の各機能について、一部を専用のハードウェアで実現し、他の一部をソフトウェアまたはファームウェアで実現してもよい。処理回路は、ハードウェア、ソフトウェア、ファームウェア、またはこれらの組み合わせによって、制御装置の各機能を実現しても良い。
【００７６】
単一の制御装置により動作が制御される構成に限定されるものではなく、複数の制御装置が連携することで動作を制御する構成にしてもよい。
【符号の説明】
【００７７】
１  圧縮機、  ３  水冷媒熱交換器、  ４  膨張弁、  ５  冷媒配管、  ６  空気熱交換器、  ７  ＨＰユニット、  ８  貯湯タンク、  ８ａ  水導入口、  ８ｂ  水導出口、  ８ｃ  温水導入口、  ８ｄ  温水導入出口、  ８ｅ  温水導出口、  ８ｆ  中温導出口、  ９ａ  第１給水配管、  ９ｂ  第２給水配管、  ９ｃ  第３給水配管、  １０ａ  第１水導出口配管、  １０ｂ  第２水導出口配管、  １１  第２四方弁、  １２  循環ポンプ、  １３  送湯配管、  １４  ＨＰ往き配管、  １５  ＨＰ戻り配管、  １６  第１バイパス配管、  １７  第２バイパス配管、  １８  第１四方弁、  １９  水配管、  ２０  利用側熱交換器、  ２０ａ  第１温水導入配管、  ２０ｂ  第２温水導入配管、  ２１  高温配管、  ２２  給湯用混合弁、  ２３  ふろ用混合弁、  ２４  第１給湯配管、  ２５  第２給湯配管、  ２６  ふろ用電磁弁、  ２７  ふろ往き配管、  ２８  ふろ戻り配管、  ２９  ふろ循環ポンプ、  ３０  浴槽、  ３１  減圧弁、  ３３  タンクユニット、  ３４  給湯栓、  ３５  貯湯式給湯システム、  ３６  制御装置、  ３７  ふろ往き温度センサ、  ３８  ふろ戻り温度センサ、  ３９  ＨＰ出湯温度センサ、  ４０  ＨＰ入水温度センサ、  ４２，４３，５２  貯湯温度センサ、  ４４  リモコン、  ４５  ふろ用流量センサ、  ４８  給湯用流量センサ、  ５０  給水温度センサ、  ５１  給湯温度センサ、  ７８  三方弁、  ７９  中温配管
【図１】
0006515859.tif 000002
【図２】
0006515859.tif 000003